(57)【特許請求の範囲】
【請求項１】
周囲環境の変化を検知する度に、検知時間に応じた幅をもつパルス信号を出力する検知部と、
検知対象が周囲に存在しない状態で前記検知部を予め長さが定められた一定期間動作させた結果に基づいて設定された第１基準時間と第２基準時間と基準数とを記憶する記憶部と、
前記記憶部から前記第１基準時間と前記第２基準時間と前記基準数とを読み出し、前記検知部により前記第１基準時間以上の幅をもつパルス信号が出力された場合、及び、前記第２基準時間内に前記検知部により前記第１基準時間未満の幅をもつパルス信号が前記基準数以上出力された場合に、前記検知対象を検知したことを示す判定信号を出力する判定部と
を備えることを特徴とする検知装置。
【請求項２】
前記検知装置は、さらに、
外部からテストモード開始信号を受信する受信部
を備え、
前記判定部は、前記受信部により前記テストモード開始信号が受信されてから前記一定期間が経過するまでの間に前記検知部により出力されたパルス信号の出力タイミングと幅とを示す情報を、外部に出力することを特徴とする請求項１の検知装置。
【請求項３】
請求項２の検知装置と、
前記判定部により出力された情報を用いて、前記検知対象が周囲に存在しない状態で前記検知部を動作させた期間中に前記検知部により出力されたパルス信号を分析し、分析した結果に基づき、前記第１基準時間と前記第２基準時間と前記基準数とのうち少なくともいずれかを設定して前記記憶部に記憶する設定装置と
を備えることを特徴とする検知システム。
【請求項４】
前記設定装置は、前記検知対象が周囲に存在しない状態で前記検知部を動作させた期間中に前記検知部により出力されたパルス信号の幅の最大値から、前記第１基準時間を計算することを特徴とする請求項３の検知システム。
【請求項５】
前記設定装置は、前記検知対象が周囲に存在しない状態で前記検知部を動作させた期間中に前記検知部により出力された１つのパルス信号以降に前記検知部により前記基準数のパルス信号が出力されるまでの時間の最小値から、前記第２基準時間を計算することを特徴とする請求項３又は４の検知システム。
【請求項６】
前記設定装置は、前記検知対象が周囲に存在しない状態で前記検知部を動作させた期間中に前記検知部により１つのパルス信号が出力されてから前記第２基準時間内に前記検知部により出力されたパルス信号の数の最大値から、前記基準数を計算することを特徴とする請求項３から５のいずれかの検知システム。
【請求項７】
前記検知部は、周囲環境の変化として、赤外線の変化を検知し、
前記判定部は、検知対象として、人体を検知したことを示す判定信号を出力することを特徴とする請求項３から６のいずれかの検知システム。
【請求項８】
前記検知システムは、さらに、
前記判定部により出力された判定信号に基づき、照明装置を制御する照明制御装置
を備えることを特徴とする請求項３から７のいずれかの検知システム。
【請求項９】
前記記憶部は、前記第１基準時間と前記第２基準時間と前記基準数として、外部の設定装置により設定された値を記憶することを特徴とする請求項１の検知装置。
【請求項１０】
前記記憶部は、前記第１基準時間と前記第２基準時間と前記基準数として、複数の時間帯のそれぞれについて個別に設定された値を記憶し、
前記判定部は、前記第１基準時間と前記第２基準時間と前記基準数として、現在の時間帯について設定された値を前記記憶部から読み出すことを特徴とする請求項１又は２又は９の検知装置。
【請求項１１】
前記記憶部は、前記第１基準時間と前記第２基準時間と前記基準数として、予め設定された日時になった場合と前記判定信号が前記判定部により所定時間出力されていない場合と前記検知対象が周囲に存在しない状態が外部のシステムにより認識されている場合との少なくともいずれかに前記検知部を一定期間動作させた結果に基づいて設定された値を記憶することを特徴とする請求項１又は２の検知装置。
【発明の詳細な説明】
【技術分野】
【０００１】
本発明は、検知装置及び検知システムに関するものである。本発明は、特に、検知装置及び検知装置を用いた照明制御システムに関するものである。
【背景技術】
【０００２】
従来の検知装置において、判定部が、比較部により出力されるデジタル検知信号を所定の時間間隔で監視し、当該デジタル検知信号が熱源を検知したことを所定の回数連続して示していた場合に、検知対象を検知したことを示す検知判定信号を出力するものがある（例えば、特許文献１参照）。
【先行技術文献】
【特許文献】
【０００３】
【特許文献１】特開２００７−２５６０５７号公報
【発明の概要】
【発明が解決しようとする課題】
【０００４】
従来の検知装置は、人感センサにより人を検知して照明器具を点灯させるシステムに適用できる。このとき、人感センサの回路部や焦電素子から発生するノイズ信号と、人を検知したときのデジタル検知信号（Ｈｉｇｈ）とを区別するためには、上記所定の回数（デジタル検知信号が何回連続してＨｉｇｈになっている場合に「在」を示す検知判定信号を出力するか）を多めに設定することが望ましい。しかし、そうすると、人を検知したときに短いパルス（Ｈｉｇｈ）が発生した場合には、検知判定信号を出力するまでに余計な時間がかかり、人を検知してから照明器具を点灯させるまでの制御時間が長くなる、という課題がある。
【０００５】
本発明は、例えば、周囲環境の変化を断続的に検知した場合にも、迅速かつ的確に検知対象の存否を判定することを目的とする。
【課題を解決するための手段】
【０００６】
本発明の一の態様に係る検知装置は、
周囲環境の変化を検知する度に、検知時間に応じた幅をもつパルス信号を出力する検知部と、
予め長さが設定される第１基準時間と第２基準時間と、予め数が設定される基準数とを記憶する記憶部と、
前記記憶部から前記第１基準時間と前記第２基準時間と前記基準数とを読み出し、前記検知部により前記第１基準時間以上の幅をもつパルス信号が出力された場合、及び、前記第２基準時間内に前記検知部により前記第１基準時間未満の幅をもつパルス信号が前記基準数以上出力された場合に、検知対象を検知したことを示す判定信号を出力する判定部とを備える。
【発明の効果】
【０００７】
本発明の一の態様では、検知装置において、検知部により第１基準時間以上の幅をもつパルス信号が出力された場合だけでなく、第２基準時間内に検知部により第１基準時間未満の幅をもつパルス信号が基準数以上出力された場合にも、判定部が検知対象を検知したことを示す判定信号を出力する。このため、本発明の一の態様によれば、周囲環境の変化を断続的に検知した場合にも、迅速かつ的確に検知対象の存否を判定することが可能となる。
【図面の簡単な説明】
【０００８】
【図１】実施の形態１に係る照明制御システムの構成を示すブロック図。
【図２】実施の形態１に係る通信ユニットに接続された照明装置（ＬＥＤの場合）の構成を示すブロック図。
【図３】実施の形態１に係る通信ユニットに接続された照明装置（蛍光灯の場合）の構成を示すブロック図。
【図４】実施の形態１に係る人感センサの構成を示すブロック図。
【図５】実施の形態１に係る人感センサの動作を示すフローチャート。
【図６】実施の形態１に係る人感センサの判定信号の出力タイミング（人感検知時間Ｔ１以上の幅をもつパルス信号が発生した場合）を示す図。
【図７】実施の形態１に係る人感センサの判定信号の出力タイミング（人感検知期間Ｔ２内に人感検知時間Ｔ１未満の幅をもつパルス信号が人感検知回数以上発生した場合）を示す図。
【図８】実施の形態１に係る人感センサの判定信号の出力タイミング例を示す図。
【図９】実施の形態２に係る照明制御システムの構成を示すブロック図。
【図１０】実施の形態３に係る照明制御システムの構成を示すブロック図。
【図１１】実施の形態４に係る照明制御システムの構成を示すブロック図。
【図１２】実施の形態４に係る人感センサが発信する検知情報の例を示す表。
【図１３】実施の形態４に係る人感センサのパルス信号の出力波形例を示す図。
【発明を実施するための形態】
【０００９】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る照明制御システム１０の構成を示すブロック図である。
【００１１】
図１において、照明制御システム１０は、検知システムの例であり、コントローラ１１、通信ユニット１２、照明装置１３、人感センサ１４、照度センサ１５、壁スイッチ１６、ワイヤレスリモコン１７、設定装置１８を備える。
【００１２】
コントローラ１１は、照明制御装置の例であり、壁スイッチ１６の操作、人感センサ１４の検知状態、照度センサ１５によりモニタした照度値等に応じて、照明装置１３の点滅（点灯／消灯）、調光状態を制御する。
【００１３】
通信ユニット１２は、コントローラ１１と無線通信又は有線通信を行う。この通信を上位通信という。また、通信ユニット１２は、照明装置１３、人感センサ１４、照度センサ１５、壁スイッチ１６と信号線を介して２線式シリアル通信（双方向通信）を行う。この通信を下位通信という。通信ユニット１２は、上位通信と下位通信との間のゲートウェイ機能をもつ。具体的には、通信ユニット１２は、無線通信又は有線通信によりコントローラ１１から受信したデータ設定、モニタリング指示、照明制御（点灯、消灯、調光等）に係る信号を２線式有線シリアル信号に変換する機能をもち、それぞれの照明装置１３、人感センサ１４、照度センサ１５、壁スイッチ１６に予め整理番号となる個別アドレスを割り付けて、個別にデータ設定、モニタリング指示、照明制御を行う。
【００１４】
なお、コントローラ１１と通信ユニット１２とが一体になって、コントローラ１１が照明装置１３、人感センサ１４、照度センサ１５、壁スイッチ１６と直接通信するようにしてもよい。また、通信ユニット１２（あるいは通信ユニット１２と一体のコントローラ１１）と照明装置１３、人感センサ１４、照度センサ１５、壁スイッチ１６との間の通信は、有線シリアル通信以外の任意の通信方式で行ってもよい。
【００１５】
照明装置１３、人感センサ１４、照度センサ１５、壁スイッチ１６は、図１に示すように、１台の通信ユニット１２にそれぞれ１台の機器が接続されてもよいし、１台の通信ユニット１２に複数の機器（例えば、照明装置１３）が接続されてもよいし、１台の通信ユニット１２にその他の任意の組み合わせで接続されてもよい。即ち、照明制御システム１０の全体構成は、構築される照明システムの態様に応じて決められる。
【００１６】
照明装置１３は、ＬＥＤ、蛍光灯、あるいは、その他の光源と、この光源を点灯させる点灯回路とを備えた器具である。照明装置１３は、コントローラ１１から通信ユニット１２を介して送信される信号（照明制御に係る信号）に応じて、光源を点灯又は消灯したり、光源の明るさ（出力）を変えたりする。
【００１７】
人感センサ１４は、コントローラ１１から通信ユニット１２を介して送信される信号（データ設定やモニタリング指示に係る信号）に応じて、周囲の特定エリア（検知エリア）内における人の在／不在を検知し、その結果を示す検知情報をコントローラ１１に通知する。
【００１８】
照度センサ１５は、コントローラ１１から通信ユニット１２を介して送信される信号（データ設定やモニタリング指示に係る信号）に応じて、周囲の特定エリア内における照度（例えば、机上面の照度）を測定し、その結果を示す照度情報をコントローラ１１に通知する。
【００１９】
壁スイッチ１６は、照明装置１３の光源の点灯制御や調光制御のためにユーザによって操作される（例えば、ボタンが押下される）。壁スイッチ１６は、ユーザによって操作されると、その状態（例えば、ボタンの押下）を示す操作情報をコントローラ１１に通知する。
【００２０】
ワイヤレスリモコン１７は、コントローラ１１や通信ユニット１２と無線通信を行い、ユーザの遠隔操作によって照明装置１３の光源の点灯制御や調光制御、コントローラ１１や通信ユニット１２を含む各機器の状態モニタやデータ設定を行う。
【００２１】
設定装置１８は、例えばパーソナルコンピュータであり、コントローラ１１や通信ユニット１２と無線通信又は有線通信を行い、画面から照明装置１３の光源の点灯制御や調光制御、コントローラ１１や通信ユニット１２を含む各機器の状態モニタやデータ設定を行う。
【００２２】
図２は、通信ユニット１２に接続された照明装置１３（ＬＥＤの場合）の構成を示すブロック図である。
【００２３】
図２において、照明装置１３は、制御ユニット２１、ＬＥＤ電源装置２２、ＬＥＤ光源２３を備える。
【００２４】
制御ユニット２１は、通信ユニット１２と有線通信を行い、通信ユニット１２からの指令を基にＬＥＤ電源装置２２に対してＰＷＭ（パルス幅変調）調光信号を出力する。ＬＥＤ電源装置２２は、制御ユニット２１からのＰＷＭ調光信号に従い、ＬＥＤ光源２３を点灯又は消灯させたり、調光したりする。ＬＥＤ光源２３は、ＬＥＤチップを搭載した光源で、ＬＥＤ電源装置２２により駆動される。
【００２５】
例えば、通信ユニット１２から制御ユニット２１に調光率を変化させる信号が送信されると、制御ユニット２１は受信した信号（データ）を解析し、ＬＥＤ電源装置２２に対して出力しているＰＷＭ調光信号を変化させることで、ＬＥＤ光源２３の明るさを変化させる。
【００２６】
図３は、通信ユニット１２に接続された照明装置１３（蛍光灯の場合）の構成を示すブロック図である。
【００２７】
図３において、照明装置１３は、制御ユニット２１、インバータ２４、蛍光ランプ２５を備える。
【００２８】
制御ユニット２１は、通信ユニット１２と有線通信を行い、通信ユニット１２からの指令を基にインバータ２４に対してＰＷＭ調光信号を出力する。インバータ２４は、制御ユニット２１からのＰＷＭ調光信号に従い、蛍光ランプ２５を点灯又は消灯させたり、調光したりする。蛍光ランプ２５は、インバータ２４により駆動される。
【００２９】
例えば、通信ユニット１２から制御ユニット２１に調光率を変化させる信号が送信されると、制御ユニット２１は受信した信号（データ）を解析し、インバータ２４に対して出力しているＰＷＭ調光信号を変化させることで、蛍光ランプ２５の明るさを変化させる。
【００３０】
図４は、人感センサ１４の構成を示すブロック図である。
【００３１】
図４において、人感センサ１４は、受信部３１、記憶部３２、検知部３３（比較部３４を含む）、判定部３５、送信部３６を備える。
【００３２】
コントローラ１１、ワイヤレスリモコン１７、設定装置１８の少なくともいずれか（以下では、設定装置１８とする）は、後述する設定情報を予め記憶しており、この設定情報を通信ユニット１２に送信する。通信ユニット１２は、設定装置１８から送信された設定情報を受信すると、受信した設定情報を人感センサ１４に送信する。受信部３１は、通信ユニット１２から送信された設定情報を受信する。記憶部３２は、受信部３１が受信した設定情報を記憶する。検知部３３は、周囲の特定エリア内で赤外線の変化を検知する度に、検知時間に応じた幅をもつパルス信号を出力する。具体的には、検知部３３は、赤外線の変化を検知した場合、アナログ信号を出力し、このアナログ信号の電圧と所定の電圧とを比較部３４により比較して、比較結果をデジタル信号（アナログ信号の電圧が所定の電圧より高ければ、パルス信号になる）として出力する。判定部３５は、検知部３３（比較部３４）から出力されたデジタル信号を、記憶部３２に記憶された設定情報を基に分析して、人を検知したかを判定する。送信部３６は、判定部３５での判定結果を通信ユニット１２へ送信する。
【００３３】
ここで、記憶部３２に記憶される設定情報は、人感検知時間Ｔ１、人感検知期間Ｔ２、人感検知回数の設定値を示す情報である。人感検知時間Ｔ１は予め長さが設定される第１基準時間の例、人感検知期間Ｔ２は予め長さが設定される第２基準時間の例、人感検知回数は予め数が設定される基準数の例である。
【００３４】
記憶部３２は、例えば、メモリ（例えば、ＲＡＭ、ＲＯＭ、フラッシュメモリ）である。図示していないが、人感センサ１４は、例えば、プログラムを実行するＣＰＵ等のプロセッサを備える。プロセッサは、バスを介して記憶部３２及びその他の各部と接続され、各部を制御する。記憶部３２は、設定情報以外にもデータや信号を記憶する。本実施の形態の説明において用いるブロック図やフローチャートの矢印の部分は主としてデータや信号の入出力を示している。データや信号は、バスや信号線やケーブルその他の伝送媒体により伝送される。検知部３３や判定部３５は、ＲＯＭに記憶されたファームウェアで実現されていても構わないし、あるいは、ソフトウェアのみ、あるいは、素子・デバイス・基板・配線等のハードウェアのみ、あるいは、ソフトウェアとハードウェアとの組み合わせ、さらには、ファームウェアとの組み合わせで実現されていても構わない。ファームウェアとソフトウェアは、プログラムとして、記憶部３２に記憶される。このプログラムはプロセッサにより読み出され、プロセッサにより実行される。
【００３５】
図５は、人感センサ１４の動作（本実施の形態に係る検知方法）を示すフローチャートである。
【００３６】
ステップＳ１１において、検知部３３は、周囲の特定エリア内における赤外線の変化を検知する。赤外線の変化を検知した場合、ステップＳ１２に進む。
【００３７】
ステップＳ１２において、検知部３３は、ステップＳ１１における赤外線の変化の検知時間に応じた幅をもつパルス信号を出力する。
【００３８】
ステップＳ１３において、判定部３５は、記憶部３２から設定情報を読み出し、設定情報が示す人感検知時間Ｔ１とステップＳ１２で出力されたパルス信号の幅とを比較する。パルス信号の幅が人感検知時間Ｔ１以上であれば、ステップＳ１５に進み、そうでなければ、ステップＳ１４に進む。
【００３９】
ステップＳ１４において、判定部３５は、設定情報が示す人感検知期間Ｔ２前から現時点までの間に、過去及び今回のステップＳ１２で出力されたパルス信号のうち、幅が人感検知時間Ｔ１未満のパルス信号の数をカウントする。そして、判定部３５は、カウントしたパルス信号の数と設定情報が示す人感検知回数とを比較する。パルス信号の数が人感検知回数以上であれば、ステップＳ１５に進み、そうでなければ、ステップＳ１１に戻る。
【００４０】
ステップＳ１５において、判定部３５は、人体を検知したことを示す判定信号を出力する。そして、ステップＳ１１に戻る。
【００４１】
ステップ１５で出力された判定信号は、送信部３６により検知情報として通信ユニット１２へ送信される。通信ユニット１２は、人感センサ１４から送信された検知情報をコントローラ１１に送信する。コントローラ１１は、通信ユニット１２から送信された検知情報を受信すると、受信した検知情報に基づき、照明装置１３を制御する（例えば、点灯させる）。
【００４２】
図６は、人感センサ１４の判定信号の出力タイミング（人感検知時間Ｔ１以上の幅をもつパルス信号が発生した場合）を示す図である。
【００４３】
図６に示すように、判定部３５は、パルス信号の立ち上がりエッジを検出した時点からパルス信号がＨｉｇｈの状態で人感検知時間Ｔ１経過したときに、人体を検知した（「在」）と判断することができる。
【００４４】
図７は、人感センサ１４の判定信号の出力タイミング（人感検知期間Ｔ２内に人感検知時間Ｔ１未満の幅をもつパルス信号が人感検知回数以上発生した場合）を示す図である。図８は、その例を示す図である。
【００４５】
図７に示すように、判定部３５は、人感検知期間Ｔ２内で人感検知回数分（例えば、３回目）のパルス信号の立ち上がりエッジを検出したときに、人体を検知した（「在」）と判断することができる。図８の例では、人感検知時間Ｔ１が３５０ミリ秒、人感検知期間Ｔ２が２秒、人感検知回数が３回に設定されているとする。判定部３５は、幅が１００ミリ秒、２００ミリ秒のパルス信号があっても人体を検知した（「在」）と判断せず、３回目のパルス信号の立ち上がりエッジを検出した時点で人体を検知した（「在」）と判断し、判定信号を出力する。
【００４６】
このように、人感センサ１４が「在」を示す信号を発信するのは、パルス信号が「人感検知時間Ｔ１以上Ｈｉｇｈであることを検出した場合」及び「人感検知期間Ｔ２以内に人感検知回数分のパルスを検出した場合」のいずれかの条件が当てはまるときである。人を検出したときはパルスが複数発生する場合が多く、また人感センサ１４のノイズ信号のパルスは連続で複数発生する可能性が低いことから、判定条件として、パルス幅による検出の他に、パルス幅以内であっても、設定した期間内に設定した回数パルスを検出した場合には、在検出と判定する機能を加えることで、検出時間を短縮できる。また、人感センサ１４のノイズを検出する誤動作を防止することができる。
【００４７】
人感検知時間Ｔ１、人感検知期間Ｔ２、人感検知回数については、ワイヤレスリモコン１７、設定装置１８から任意に数値を設定することができ、これらの設定値は、コントローラ１１又は通信ユニット１２を経由して人感センサ１４に送信される。また、ワイヤレスリモコン１７、設定装置１８から設定値を送信しない場合でも、人感センサ１４の記憶部３２に予め記憶されているデフォルト値を用いることができる。また、人感検知時間Ｔ１、人感検知期間Ｔ２、人感検知回数は、複数の時間帯（例えば、人が多い時間帯と人が少ない時間帯）のそれぞれについて個別に設定されてもよい。この場合、時間帯ごとの設定値がワイヤレスリモコン１７、設定装置１８から人感センサ１４に送信され、人感センサ１４の記憶部３２に記憶される。人感センサ１４の判定部３５は、記憶部３２から設定情報を読み出す際に、現在の時間帯に対応する設定値を記憶部３２から読み出して、前述したステップＳ１３〜Ｓ１５を実行する。
【００４８】
人感センサ１４の検知部３３に含まれる焦電素子のポップコーンノイズが発生する場合、ノイズのパルス幅は３５０ミリ秒未満で、パルスの連続発生は２回以下であると考えられる。そのため、前述した例のように、デフォルト値として、人感検知時間Ｔ１を３５０ミリ秒（又はそれ以上）、人感検知期間Ｔ２を２秒（又はそれ以下）、人感検知回数を３回（又はそれ以上）に設定することが望ましい。
【００４９】
上記のように、本実施の形態において、人感センサ１４の検知部３３は、赤外線の変化を検知する度に、検知時間に応じた幅をもつパルス信号を出力する。人感センサ１４の判定部３５は、記憶部３２から人感検知時間Ｔ１と人感検知期間Ｔ２と人感検知回数とを読み出し、検知部３３により人感検知時間Ｔ１以上の幅をもつパルス信号が出力された場合、及び、人感検知期間Ｔ２内に検知部３３により人感検知時間Ｔ１未満の幅をもつパルス信号が人感検知回数以上出力された場合に、人体を検知したことを示す判定信号を出力する。このため、人感センサ１４の回路部から発生するノイズ信号（何回も連続して発生することがない）と、人体を検知したときのパルス信号とを的確に区別できる。また、人体を検知したときのパルス信号がノイズ信号のように短い（幅が狭い）ものであっても、迅速に判定信号を出力することができる。つまり、本実施の形態によれば、赤外線の変化を断続的に検知した場合にも、迅速かつ的確に人体の存否を判定することが可能となる。これにより、人体を検知してから照明装置１３を点灯させるまでの制御時間を短縮することができる。
【００５０】
なお、本実施の形態では、人感センサ１４の検知部３３が赤外線の変化を検知してパルス信号を出力するが、検知部３３が、赤外線以外の周囲環境の変化を検知する度に、検知時間に応じた幅をもつパルス信号を出力するようにしてもよい。例えば、検知部３３が、周囲の特定エリア内における磁界、静電容量、超音波の反射波、電磁波の反射波等の変化を検知する度に、検知時間に応じた幅をもつパルス信号を出力するようにしてもよい。
【００５１】
また、本実施の形態では、人感センサ１４の検知対象が人体であるが、人体以外を検知対象としてもよい。
【００５２】
また、本実施の形態では、コントローラ１１が人感センサ１４の判定部３５により出力される判定信号に基づいて照明装置１３を制御するが、照明装置１３以外を制御対象としてもよい。
【００５３】
実施の形態２．
本実施の形態について、主に実施の形態１との差異を説明する。
【００５４】
図９は、本実施の形態に係る照明制御システム１０の構成を示すブロック図である。
【００５５】
図９において、照明制御システム１０は、図１に示した実施の形態１の各機器のほか、上位システムを構成するゲートウェイ１９、中央管理装置２０を備える。図示していないが、本実施の形態において、照明制御システム１０は、コントローラ１１を複数備える。それぞれのコントローラ１１は、実施の形態１と同様に、通信ユニット１２より下位に位置する機器の設定、制御状態の管理を行う。
【００５６】
ゲートウェイ１９は、複数のコントローラ１１の上位側に有線接続され、それぞれのコントローラ１１と有線シリアル通信を行う。また、ゲートウェイ１９は、中央管理装置２０とローカルエリアネットワーク（例えば、Ｅｔｈｅｒｎｅｔ（登録商標））を介して接続され、中央管理装置２０とＬＡＮ通信を行う。即ち、ゲートウェイ１９は、有線シリアル通信とＬＡＮ通信との変換機能を有し、この機能によりデータの送受信を行う。
【００５７】
中央管理装置２０は、パーソナルコンピュータ等、画面（例えば、液晶画面）が備えられた装置である。ユーザは、中央管理装置２０を操作することにより、複数のコントローラ１１及びその下位の各機器を画面上で一括制御及び監視することができる。中央管理装置２０は、空調機器等、他の設備機器と連動することも可能である。
【００５８】
本実施の形態では、中央管理装置２０から人感検知時間Ｔ１、人感検知期間Ｔ２、人感検知回数を設定することができ、これらの設定値は、複数のコントローラ１１を経由して人感センサ１４に送信される。このとき、人感センサ１４ごとに設定値が異なっていても構わない。
【００５９】
このように、本実施の形態では、実施の形態１と同様の通信シーケンスを利用し、さらに上位に構成されたシステムにおいて、操作画面による操作、状態モニタを行うことができ、実施の形態１でワイヤレスリモコン１７や設定装置１８で実施していた人感検知時間Ｔ１、人感検知期間Ｔ２、人感検知回数の設定を上位システムから実施することができる。
【００６０】
実施の形態３．
本実施の形態について、主に実施の形態２との差異を説明する。
【００６１】
図１０は、本実施の形態に係る照明制御システム１０の構成を示すブロック図である。
【００６２】
図１０において、照明制御システム１０は、図９に示した実施の形態２と同様の機器を備えるが、コントローラ１１と通信ユニット１２とが一体になっている。
【００６３】
このように、通信ユニット１２の機能をコントローラ１１に搭載することで、コントローラ１１が各機器（照明装置１３、人感センサ１４、照度センサ１５、壁スイッチ１６）とデータの送受信を直接行うことができるようになる。
【００６４】
実施の形態４．
本実施の形態について、主に実施の形態２との差異を説明する。
【００６５】
図１１は、本実施の形態に係る照明制御システム１０の構成を示すブロック図である。
【００６６】
図１１において、照明制御システム１０は、図９に示した実施の形態２と同様の構成であるが、一部の機器（照明装置１３、照度センサ１５、壁スイッチ１６）については図示を省略している。
【００６７】
本実施の形態では、人感センサ１４の焦電素子が発するノイズや、外部ノイズにより、検知エリア内で熱源の移動がない場合でも、「在」を示す判定信号が発信されてしまう誤動作を防ぐため、予め、設置現場等で発生するノイズ波形を検出し、それを基に人感検知時間Ｔ１、人感検知期間Ｔ２、人感検知回数を設定する。このとき、人感センサ１４をテストモードで動作させる。
【００６８】
テストモードを実行するときには、例えば、テストモード期間（例えば、６時間）における人感センサ１４の検知エリア内への人の進入を禁止する。あるいは、例えば、夜間、人が入らない時間帯にテストモードを実行する。なお、テストモードは、設定装置（コントローラ１１、ワイヤレスリモコン１７、設定装置１８、中央管理装置２０のいずれでもよい）あるいは外部機器から所定の操作がなされた場合、スケジュール等により予め設定された日時になった場合、人感センサ１４が「在」を所定時間（例えば、１時間以上）検知しない場合（即ち、判定部３５が判定信号を所定時間出力していない場合）、セキュリティシステムと連携して「不在」（入退出（カード）管理システムで全員退出しているときや監視カメラで「不在」を（自動的に）確認しているとき）である場合等に、照明制御システム１０が実行する。
【００６９】
以下、テストモードを実行する際の照明制御システム１０の動作について説明する。
【００７０】
まず、ワイヤレスリモコン１７、設定装置１８、あるいは、上位システムから、コントローラ１１や通信ユニット１２を介して特定の人感センサ１４へテストモード開始信号が送信される。これ以降、コントローラ１１は、人感センサ１４から検知情報が上がってきた場合でも、照明装置１３へ点灯、消灯、調光率等の指令を発信しない。テストモード開始信号を受信した人感センサ１４は、定められた一定期間（テストモード期間）は、検知情報に波形情報を付加してコントローラ１１に発信する。このとき、人感センサ１４は、ノイズ波形を検知した場合でも通常モードのデータ（判定信号）を送信しないようにしてもよい。
【００７１】
波形情報が付加された検知情報を受信したコントローラ１１は、検知情報を上位システム（ワイヤレスリモコン１７や設定装置１８でもよい）に発信する。上位システムの中央管理装置２０は、その検知情報を受信履歴として保存する。
【００７２】
テストモード期間が経過した後、コントローラ１１は、人感センサ１４から検知情報が上がってきた場合、通常通り、照明装置１３へ点灯、消灯、調光率等の指令を発信する。
【００７３】
例えば、管理者等は、中央管理装置２０（ワイヤレスリモコン１７や設定装置１８でもよい）の画面上で、テストモード中に保存された履歴を閲覧する。そして、履歴の集計結果より、現場で発生したノイズ波形状態を把握し、それに対応した人感検知時間Ｔ１、人感検知期間Ｔ２、人感検知回数を設定する。設定された人感検知時間Ｔ１、人感検知期間Ｔ２、人感検知回数は、中央管理装置２０から人感センサ１４に送信され、人感センサ１４の記憶部３２に記憶される。人感センサ１４の判定部３５は、記憶部３２から人感検知時間Ｔ１、人感検知期間Ｔ２、人感検知回数を読み出して前述したステップＳ１３〜Ｓ１５の動作を行う。これにより、人感センサ１４の誤動作をより確実に抑止することができる。
【００７４】
上記のように、本実施の形態では、人感センサ１４の記憶部３２が、人感検知時間Ｔ１、人感検知期間Ｔ２、人感検知回数として、人体が周囲の特定エリアに存在しない状態で検知部３３を一定期間動作させた結果に基づいて設定された値を記憶する。そのため、人感センサ１４の判定部３５が、人感センサ１４の周囲環境に適した設定値を用いて、人体を検知したかどうかを判定することができる。前述したように、本実施の形態では、設定装置あるいは外部機器から所定の操作がなされた場合と、予め設定された日時になった場合と、判定信号が判定部３５により所定時間出力されていない場合と、人体が周囲に存在しない状態が外部のシステム（例えば、セキュリティシステム）により認識されている場合との少なくともいずれかに検知部３３を一定期間動作させ、その期間中は人体が周囲の特定エリアに存在しない状態であるとみなす。
【００７５】
図１２は、人感センサ１４が発信する検知情報の例を示す表である。図１３は、人感センサ１４のパルス信号の出力波形例を示す図である。
【００７６】
図１２において、人感センサ１４の判定部３５がコントローラ１１宛に発信する検知情報には、例えば、通常モードの場合、人感センサ１４の自局アドレスと在／不在情報の２バイトのみが含まれている。一方、テストモードの場合、検知情報には、通常モード時の２バイトに加え、１回目のパルスのＨｉｇｈ期間（パルス信号の幅）、Ｌｏｗ期間、２回目のパルスのＨｉｇｈ期間（パルス信号の幅）、Ｌｏｗ期間という順に、一定期間内に発生した連続パルスの数だけデータ（波形情報）を付加する。図１２のｅｘは、図１３に示す波形を検出した場合の波形情報データである。１バイト目は自局アドレス「５」、２バイト目は検知状態「在」、３バイト目は１回目のパルスのＨｉｇｈ期間「２００ミリ秒」、４バイト目は１回目と２回目のパルスの間のＬｏｗ期間「１２０ミリ秒」、５バイト目は２回目のパルスのＨｉｇｈ期間「５０ミリ秒」の値とする。
【００７７】
なお、テストモード実行中、人感センサ１４の判定部３５は、テストモード期間が終了するまでは、検知情報を送信せず、テストモード期間が終了してから、テストモード期間中に検知部３３から出力された全てのパルス信号の波形情報を含む検知情報をコントローラ１１に送信してもよい。このとき、検知情報に通常モード時の２バイトを含める必要はない。また、波形情報は、少なくともテストモード期間中に検知部３３から出力されたパルス信号の出力タイミングと幅とを示す情報であればよく、これらをＨｉｇｈ期間とＬｏｗ期間との組み合わせで示す代わりに、例えば、パルスの立ち上がりエッジを検出した時刻とＨｉｇｈ期間との組み合わせで示すものであってもよい。
【００７８】
実施の形態５．
本実施の形態について、主に実施の形態４との差異を説明する。
【００７９】
本実施の形態では、人感検知時間Ｔ１、人感検知期間Ｔ２、人感検知回数を管理者等が任意に設定する代わりに、人感検知時間Ｔ１、人感検知期間Ｔ２、人感検知回数のうち少なくともいずれかを中央管理装置２０（コントローラ１１やワイヤレスリモコン１７や設定装置１８、あるいは、人感センサ１４の判定部３５でもよい）（いずれも設定装置の例）が自動的に設定する。具体的には、中央管理装置２０は、テストモード中に保存された履歴を分析し、分析した結果に基づき、人感検知時間Ｔ１、人感検知期間Ｔ２、人感検知回数のうち少なくともいずれかを設定して人感センサ１４に送信し、人感センサ１４の記憶部３２に記憶させる。即ち、中央管理装置２０は、テストモード期間（人体が人感センサ１４の周囲の特定エリアに存在しない状態で人感センサ１４の検知部３３を動作させた期間）中に人感センサ１４の検知部３３により出力されたパルス信号を分析し、分析した結果に基づき、人感検知時間Ｔ１、人感検知期間Ｔ２、人感検知回数のうち少なくともいずれかを設定して人感センサ１４の記憶部３２に記憶する。
【００８０】
例えば、中央管理装置２０は、テストモード期間中に人感センサ１４の検知部３３により出力されたパルス信号の幅の最大値から、人感検知時間Ｔ１を計算する。１つの例として、テストモード期間中に、図１３に示したパルス信号のみが出力されたとすると、中央管理装置２０は、パルス信号の幅の最大値である２００ミリ秒に所定の第１値（例えば、２．０）を掛ける等して、２００ミリ秒より長い時間を計算し、計算した値を人感検知時間Ｔ１に設定する。
【００８１】
例えば、中央管理装置２０は、テストモード期間中に人感センサ１４の検知部３３により出力された１つのパルス信号以降に人感センサ１４の検知部３３により人感検知回数（あるいは、人感検知回数−１回）分のパルス信号が出力されるまでの時間の最小値から、人感検知期間Ｔ２を計算する。１つの例として、人感検知回数が予め２回（あるいは、３回）に設定されており、テストモード期間中に、図１３に示したパルス信号のみが出力されたとすると、中央管理装置２０は、１つ目のパルス信号の立ち上がりエッジから２つ目のパルス信号の立ち上がりエッジまでの時間である３２０ミリ秒に所定の第２値（例えば、０．８）を掛ける等して、３２０ミリ秒より短い時間を計算し、計算した値を人感検知期間Ｔ２に設定する。
【００８２】
例えば、中央管理装置２０は、テストモード期間中に人感センサ１４の検知部３３により１つのパルス信号が出力されてから人感検知期間Ｔ２内に人感センサ１４の検知部３３により出力されたパルス信号の数の最大値から、人感検知回数を計算する。１つの例として、人感検知期間Ｔ２が予め１秒に設定されており、テストモード期間中に、図１３に示したパルス信号のみが出力されたとすると、中央管理装置２０は、パルス信号の数である２回に所定の第３値（例えば、１）を足す等して、２回より多い回数を計算し、計算した値を人感検知回数に設定する。
【００８３】
このように、本実施の形態では、テストモード時に人感センサ１４から発信された波形情報の履歴を上位システムが保存し、一定時間後のテストモード終了時に、履歴データを自動集計した中で、最大のパルス幅、パルス連続回数を検出し、検出したデータ以上の値、あるいは、検出したデータに対して所定の係数によって算出した値を、人感検知時間Ｔ１、人感検知期間Ｔ２、人感検知回数として自動設定する。これにより、その後の人感センサ１４の誤動作をより確実に抑止することができる。
【００８４】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００８５】
１０  照明制御システム、１１  コントローラ、１２  通信ユニット、１３  照明装置、１４  人感センサ、１５  照度センサ、１６  壁スイッチ、１７  ワイヤレスリモコン、１８  設定装置、１９  ゲートウェイ、２０  中央管理装置、２１  制御ユニット、２２  ＬＥＤ電源装置、２３  ＬＥＤ光源、２４  インバータ、２５  蛍光ランプ、３１  受信部、３２  記憶部、３３  検知部、３４  比較部、３５  判定部、３６  送信部。
【図１】
0005975664.tif 000002
【図２】
0005975664.tif 000003
【図３】
0005975664.tif 000004
【図４】
0005975664.tif 000005
【図５】
0005975664.tif 000006
【図６】
0005975664.tif 000007
【図７】
0005975664.tif 000008
【図８】
0005975664.tif 000009
【図９】
0005975664.tif 000010
【図１０】
0005975664.tif 000011
【図１１】
0005975664.tif 000012
【図１２】
0005975664.tif 000013
【図１３】
0005975664.tif 000014